(57)【要約】【課題】所望の展示ブースが提供する情報を確実に取得できるように見学者を支援する。【解決手段】複数の展示ブースと見学者が持ち運ぶ情報表示装置とを少なくとも備え、各々の展示ブースは、自身のブース番号を示すＩＤ情報を点滅パターンとして可視光通信により送信する光源を備え、情報表示装置は、表示部と、複数の展示ブースのレイアウト情報を記憶する記憶部と、動画を撮像可能な撮像部と、制御部と、を少なくとも備え、制御部は、複数の展示ブースを撮像した動画データの画像から複数の光源の位置を特定し、各々の光源の点滅パターンからＩＤ情報を取得し、複数の光源の位置とＩＤ情報とレイアウト情報とに基づいて、撮像した展示ブースに対する情報表示装置の相対位置を特定し、情報表示装置とその近傍の展示ブースと当該展示ブースのＩＤ情報とが表示される案内画面を表示させる。【選択図】図１
2011154581.tif 000002
【特許請求の範囲】
【請求項１】
展示会場に配置された複数の展示ブースと、前記展示会場に入場する見学者が持ち運ぶ情報表示装置と、を少なくとも備える展示会見学支援システムにおいて、
各々の前記展示ブースは、自身のブース番号を示すＩＤ情報を点滅パターンとして可視光通信により送信する光源を備え、
前記情報表示装置は、
表示部と、前記展示会場における前記複数の展示ブースの位置を規定するレイアウト情報を記憶する記憶部と、動画を撮像可能な撮像部と、制御部と、を少なくとも備え、
前記制御部は、複数の展示ブースを撮像した動画データの画像から複数の前記光源の位置を特定し、各々の前記光源の点滅パターンから前記ＩＤ情報を取得し、前記複数の光源の位置と前記ＩＤ情報と前記レイアウト情報とに基づいて、撮像した前記展示ブースに対する前記情報表示装置の相対位置を特定し、前記情報表示装置とその近傍の前記展示ブースと当該展示ブースの前記ＩＤ情報とが表示される案内画面を前記表示部に表示させる、ことを特徴とする展示会見学支援システム。
【請求項２】
前記制御部は、前記案内画面に、前記撮像部で撮像した方向を明示する、ことを特徴とする請求項１に記載の展示会見学支援システム。
【請求項３】
各々の前記展示ブースで提供する資料の電子データを当該展示ブースのＩＤ情報に対応付けて記憶するサーバを備え、
前記制御部は、前記情報表示装置近傍の展示ブースの中から選択された展示ブースに対応する前記ＩＤ情報を前記サーバに送信し、
前記サーバは、受信した前記ＩＤ情報に対応する電子データを特定して前記情報表示装置に送信し、
前記制御部は、受信した前記電子データに基づく資料を前記表示部に表示させる、ことを特徴とする請求項１又は２に記載の展示会見学支援システム。
【請求項４】
前記撮像部は、３つ以上の前記光源が映るように動画を撮像し、
前記制御部は、３つ以上の前記光源の実空間の座標と画像上の座標とに基づいて、撮像した前記展示ブースに対する前記情報表示装置の相対位置を特定する、ことを特徴とする請求項１乃至３のいずれか一に記載の展示会見学支援システム。
【請求項５】
自身のブース番号を示すＩＤ情報を点滅パターンとして可視光通信により送信する光源を備える複数の展示ブースが配置された展示会場で利用される情報表示装置であって、
表示部と、前記展示会場における前記複数の展示ブースの位置を規定するレイアウト情報を記憶する記憶部と、動画を撮像可能な撮像部と、制御部と、を少なくとも備え、
前記制御部は、複数の展示ブースを撮像した動画データの画像から複数の前記光源の位置を特定し、各々の前記光源の点滅パターンから前記ＩＤ情報を取得し、前記複数の光源の位置と前記ＩＤ情報と前記レイアウト情報とに基づいて、撮像した前記展示ブースに対する前記情報表示装置の相対位置を特定し、前記情報表示装置とその近傍の前記展示ブースと当該展示ブースの前記ＩＤ情報とが表示される案内画面を前記表示部に表示させる、ことを特徴とする情報表示装置。
【請求項６】
前記制御部は、前記案内画面に、前記撮像部で撮像した方向を明示する、ことを特徴とする請求項５に記載の情報表示装置。
【請求項７】
前記記憶部は、各々の前記展示ブースで提供する資料の電子データを当該展示ブースのＩＤ情報に対応付けて記憶し、
前記制御部は、前記情報表示装置近傍の展示ブースの中から選択された展示ブースに対応する前記ＩＤ情報に基づいて電子データを特定し、特定した前記電子データに基づく資料を前記表示部に表示させる、ことを特徴とする請求項５又は６に記載の情報表示装置。
【請求項８】
前記撮像部は、３つ以上の前記光源が映るように動画を撮像し、
前記制御部は、３つ以上の前記光源の実空間の座標と画像上の座標とに基づいて、撮像した前記展示ブースに対する前記情報表示装置の相対位置を特定する、ことを特徴とする請求項５乃至７のいずれか一に記載の情報表示装置。
【発明の詳細な説明】
【技術分野】
【０００１】
本発明は、複数の展示ブースが配置された展示会の見学者を支援する展示会見学支援システム及び見学者が持ち歩く情報表示装置に関する。
【背景技術】
【０００２】
各種企業が一堂に会して製品紹介や技術説明等を行う展示会では、見学者は各種企業の展示ブースを回り、パンフレットや説明資料を受け取っていたが、多数の企業のパンフレットや説明資料を持ち帰るのは大変であり、資源の無駄になる。そこで、近年では、パンフレットや説明資料を電子データとして見学者が持ち歩くコンピュータ装置に送信し、画面上で閲覧できるようにする方法が提案されている。
【０００３】
このような電子データの送信に関して、例えば、特許文献１には、リーダライタが、映像情報再生装置の近傍に設定された配信エリア内のＩＣタグを検出すると、ＩＣタグから取得したユーザＩＤに従い、ＩＣタグ所持者のグループに属するすべてのユーザのユーザＩＤを音声情報配信サーバに送信し、音声情報配信サーバは、リーダライタから送信されたユーザＩＤを利用し、配信エリアへのユーザの出入りを監視し、配信エリアに入ったとみなされるユーザのＰＤＡに対して、映像再生装置で再生されている映像情報の再生経過時間に合わせて音声情報を配信する技術が開示されている。
【０００４】
また、下記特許文献２には、展示会場内の所定の位置に配置される展示品説明情報配信サーバと、展示会場の異なる位置に設置される複数の無線ネットワーク基地局と、展示会場の異なる位置に設置される複数の非接触タグと、展示会場において観覧者が携帯可能な展示品説明端末とを備え、展示品説明端末が非接触タグに対して所定距離内に入ると、該タグから位置情報を送信し、展示品説明端末は、受信した位置情報を基にネットワークを更新して位置情報を得た非接触タグに対応する無線ネットワーク基地局との通信が可能となり、該基地局を介して展示品説明情報配信サーバから配信されてくる展示品の説明情報を取得する技術が開示されている。
【先行技術文献】
【特許文献】
【０００５】
【特許文献１】特開２００９−２５９９８号公報
【特許文献２】特開２００７−１４３０２８号公報
【発明の概要】
【発明が解決しようとする課題】
【０００６】
上述した従来の方法は、リーダライタが所定エリア内のＩＣタグを検出することによって見学者の位置を特定し、見学者の位置に基づいて情報を配信するものであり、この方法を、展示会場における電子データの配信に応用することもできる。
【０００７】
しかしながら、従来の方法は、ＲＦＩＤ（Radio Frequency Identification）を利用して見学者の位置を特定するものであるため、展示ブース等が近接している場合には、見学者が複数の展示ブースの所定エリア内に入ってしまい、所望の展示ブースの情報を受け取れない場合が生じるという問題があった。
【０００８】
また、従来の方法は、情報を配信することを目的としており、そもそも、見学すべき展示ブースがどこにあるのかが分からない。そのため、意図しない展示ブースに近づいて、その展示ブースが提供する情報を受信してしまう場合が生じ、そのような場合には、展示ブース間を行き来しなければならず、所望の展示ブースが提供する情報を効率的に取得することができないという問題もあった。
【０００９】
本発明は、上記問題点に鑑みてなされたものであって、その主たる目的は、所望の展示ブースが提供する情報を確実に取得できるように見学者を支援する展示会見学支援システム及び情報表示装置を提供することにある。
【課題を解決するための手段】
【００１０】
上記目的を達成するため、本発明は、展示会場に配置された複数の展示ブースと、前記展示会場に入場する見学者が持ち運ぶ情報表示装置と、を少なくとも備える展示会見学支援システムにおいて、各々の前記展示ブースは、自身のブース番号を示すＩＤ情報を点滅パターンとして可視光通信により送信する光源を備え、前記情報表示装置は、表示部と、前記展示会場における前記複数の展示ブースの位置を規定するレイアウト情報を記憶する記憶部と、動画を撮像可能な撮像部と、制御部と、を少なくとも備え、前記制御部は、複数の展示ブースを撮像した動画データの画像から複数の前記光源の位置を特定し、各々の前記光源の点滅パターンから前記ＩＤ情報を取得し、前記複数の光源の位置と前記ＩＤ情報と前記レイアウト情報とに基づいて、撮像した前記展示ブースに対する前記情報表示装置の相対位置を特定し、前記情報表示装置とその近傍の前記展示ブースと当該展示ブースの前記ＩＤ情報とが表示される案内画面を前記表示部に表示させるものである。
【００１１】
また、本発明は、自身のブース番号を示すＩＤ情報を点滅パターンとして可視光通信により送信する光源を備える複数の展示ブースが配置された展示会場で利用される情報表示装置であって、表示部と、前記展示会場における前記複数の展示ブースの位置を規定するレイアウト情報を記憶する記憶部と、動画を撮像可能な撮像部と、制御部と、を少なくとも備え、前記制御部は、複数の展示ブースを撮像した動画データの画像から複数の前記光源の位置を特定し、各々の前記光源の点滅パターンから前記ＩＤ情報を取得し、前記複数の光源の位置と前記ＩＤ情報と前記レイアウト情報とに基づいて、撮像した前記展示ブースに対する前記情報表示装置の相対位置を特定し、前記情報表示装置とその近傍の前記展示ブースと当該展示ブースの前記ＩＤ情報とが表示される案内画面を前記表示部に表示させるものである。
【発明の効果】
【００１２】
本発明の展示会見学支援システム及び情報表示装置によれば、所望の展示ブースが提供する情報を確実に取得できるように見学者を支援することができる。
【００１３】
その理由は、展示会場に配置される各々の展示ブースに、自身のブース番号を示すＩＤ情報を点滅パターンとして可視光通信により送信する光源を設け、見学者が持ち歩く情報表示装置では、撮像部で複数の展示ブースを撮像した動画の各画像を処理して、各展示ブースの光源の位置を特定し、その光源の点滅パターンから展示ブースのＩＤ情報を取得し、各展示ブースの光源の位置とＩＤ情報と予め記憶したレイアウト情報とに基づいて、撮像した展示ブースに対する情報表示装置の相対位置を特定し、情報表示装置とその近傍の展示ブースと当該展示ブースのＩＤ情報と必要に応じて撮像方向とが表示される案内画面を表示するからである。
【００１４】
また、情報表示装置では、見学者（情報表示装置）近傍の展示ブースの中から選択された展示ブースに対応するＩＤ情報に基づいて、その展示ブースの電子パンフレットを取得して表示するからである。
【００１５】
これにより、展示ブースが近接して配置されている場合であっても、所望の展示ブースがどこにあるかを容易に把握することができ、意図しない展示ブースの電子パンフレットを取得することがなくなり、展示会等の見学を効率的に行うことができる。
【図面の簡単な説明】
【００１６】
【図１】本発明の一実施例に係る展示会見学支援システムの構成及び概略動作を模式的に示す図である。
【図２】本発明の一実施例に係る情報表示装置の構成を示すブロック図である。
【図３】本発明の一実施例に係る展示会場内の展示ブースと見学者の位置関係を示す図である。
【図４】本発明の一実施例に係る情報表示装置で撮像した画像の一例を示す図である。
【図５】本発明の一実施例に係る情報表示装置で撮像した画像から展示ブースの可視光通信光源を特定する方法を説明する図である。
【図６】可視光通信光源から送出する信号と情報表示装置で受信する信号との関係を示す図である。
【図７】可視光通信光源から送出する信号の例を示す図である。
【図８】撮像した画像から見学者の現在位置を特定する方法を説明する図である。
【図９】本発明の一実施例に係る展示会見学支援システムの動作を示すフローチャート図である。
【図１０】本発明の一実施例に係る情報表示装置に表示される画面（展示ブース案内画面）の一例を示す図である。
【図１１】本発明の一実施例に係る情報表示装置に表示される画面（展示ブース選択画面）の一例を示す図である。
【図１２】本発明の一実施例に係る情報表示装置に表示される画面（電子パンフレット表示画面）の一例を示す図である。
【図１３】本発明の一実施例に係る情報表示装置に表示される画面（保存選択画面）の一例を示す図である。
【発明を実施するための形態】
【００１７】
背景技術で示したように、展示会では、見学者がコンピュータ装置を持って展示ブースに近づくと、ＲＦＩＤを利用して展示ブースのＩＤ情報が通知され、そのＩＤ情報に基づいてコンピュータ装置にパンフレットや説明資料などの電子データが無線で送信され、画面上で閲覧可能になる。
【００１８】
この方法では紙媒体が不要になるため、資源の無駄な消費を削減することができるが、各展示ブース又はその近傍の装置からＩＤ情報が通知されるため、展示ブースが近接している場合には、隣り合う複数の展示ブースからＩＤ情報が通知され、意図しない展示ブースの電子データを受信してしまう場合が生じるという問題があった。
【００１９】
また、従来の方法は、展示ブースの場所を見学者に知らせることを意図していないため、見学すべき展示ブースがどこにあるかが分かりにくく、意図しない展示ブースから電子データを受信したり、展示ブース間を行き来して、電子データを受信し直したりしなければならないという問題もあった。
【００２０】
一方、近年、ＬＥＤ（Light Emitting Diode）の照明灯を使用した可視光通信が注目されている。この可視光通信は電波と違って指向性があり、人体に影響を及ぼすことがなく、電波法の制約がないという特質がある。そこで、可視光通信を用いて電子データを送信する方法も考えられるが、可視光通信は無線通信に比べてデータの送信速度が低く、サイズの大きい電子データを送信する用途には適していない。
【００２１】
そこで、本発明の一実施の形態では、展示会場の各展示ブースの予め定められた位置に点滅パターンにより可視光通信を行うための光源を配置して、光源からその展示ブースのブース番号を示すＩＤ情報を継続的に送信しておく。一方、見学者は情報表示装置を持ち歩き、その情報表示装置の撮像機能を用いて複数の展示ブースを動画で撮像する。そして、動画の各フレームの画像を処理して各展示ブースの光源の位置を特定し、その光源の点滅パターンからＩＤ情報を取得し、各展示ブースの光源位置とＩＤ情報と予め記憶したレイアウト情報とに基づいて、撮像した展示ブースに対する情報表示装置の相対位置を特定し、情報表示装置とその近傍の展示ブースと当該展示ブースのＩＤ情報と必要に応じて撮像方向とが表示される案内画面を表示する。その後、情報表示装置近傍の展示ブースの中から所望の展示ブースが選択されたら、選択された展示ブースに対応するＩＤ情報に基づいて、サーバなどの記憶手段からその展示ブースの電子データを取得し、表示する制御を行う。
【００２２】
これにより、展示会場のレイアウト図を持ち歩かなくても、所望の展示ブースがどこにあるのかを容易に把握することができ、展示ブースが近接して配置されている場合であっても、意図しない展示ブースの電子データを受信することがなく、展示会場を効率的に見学し、所望の展示ブースの電子データを確実に取得することができる。
【実施例】
【００２３】
上記した本発明の実施の形態についてさらに詳細に説明すべく、本発明の一実施例に係る展示会見学支援システム及び情報表示装置について、図１乃至図１３を参照して説明する。図１は、本実施例の展示会見学支援システムの構成及び概略動作を模式的に示す図であり、図２は、情報表示装置の構成を示すブロック図である。また、図３は、展示ブースと見学者の位置関係を示す図であり、図４は、情報表示装置で撮像した画像の一例を示す図である。また、図５は、撮像した画像から展示ブースの可視光通信光源を特定する方法を説明する図であり、図６は、可視光通信光源から送出する信号と情報表示装置で受信する信号との関係を示す図、図７は、信号特定情報及びＩＤ情報の具体例を示す図である。また、図８は、可視光通信光源の位置から見学者の現在位置を特定する方法を説明する図であり、図９は、本実施例の展示会見学支援システムの動作を示すフローチャート図、図１０乃至図１３は、情報表示装置に表示される画面の一例を示す図である。
【００２４】
図１に示すように、本実施例の展示会見学支援システム１０は、展示会等の開催場所に配置される複数の展示ブース２０と、各展示ブース２０が提供するパンフレットや説明資料などの電子データ（以下、電子パンフレットと呼ぶ。）を保存するサーバ４０と、展示会等の見学者が持ち歩く情報表示装置３０などで構成され、サーバ４０と情報表示装置３０とは無線ＬＡＮ（Local Area Network）通信などを利用した通信ネットワークによって接続されている。以下、個別に説明する。
【００２５】
［展示ブース］
展示ブース２０は、展示会に製品等を出品する企業等に割り当てられた領域を区切るものであり、各展示ブース２０の予め定められた位置（例えば、各展示ブース２０の上部右側）に、その展示ブース２０のブース番号を示すＩＤ情報を可視光通信により送信する可視光通信光源２１が配置されている。
【００２６】
上記可視光通信光源２１は、光の強弱でパルス（人間の目で認識できない周波数のパルス）を作り、ＩＤ情報に応じてパルスの時間的位置を変調し、変調したパルスに応じた電流をＬＥＤやインバータ型蛍光灯、直流型蛍光灯などに供給し、パルス位置にＩＤ情報を乗せた可視光を展示会場内に照射する。
【００２７】
なお、展示ブース２０の形状は図の構成に限定されない。また、上記可視光通信光源２１の配置や個数は任意であり、例えば、上部左右の２点に配置したり、展示ブース２０の正面及び裏面の上部左右の４点にしたりしてもよい。また、展示ブース２０の高さが見学者と同等の場合、他の見学者によって可視光通信光源２１が隠れてしまう恐れがあることから、棒状部材を上に延ばし、その先端部に可視光通信光源２１を取り付けるようにしてもよい。また、可視光通信光源２１は、指向性を持たせて特定の場所に光を照射するようにしてもよいし、指向性を持たせずに展示会場全体に光を照射するようにしてもよい。
【００２８】
［情報表示装置］
情報表示装置３０は、表示機能を備えた持ち運び可能なコンピュータ装置（例えば、電子ペーパー、ノートＰＣ、ＰＤＡ（Personal Digital Assistants）、携帯電話機など）であり、見学者と共に展示会場内を移動する。この情報表示装置３０は、図２に示すように、制御部３１と、表示部３２と、操作部３３と、撮像部３４などで構成される。
【００２９】
制御部３１は、ＣＰＵ（Central Processing Unit）３１ａ、ＲＯＭ（Read Only Memory）やＲＡＭ（Random Access Memory）などのメモリ３１ｂ、ＨＤＤ（Hard Disk Drive）３１ｃ、通信Ｉ／Ｆ部３１ｄ、媒体Ｉ／Ｆ部３１ｅなどを備え、これらはバスを介して接続されている。ＣＰＵ３１ａは、各部の制御を行う。メモリ３１ｂは、種々のデータを一時的に記憶する部分であり、記憶されたデータはＣＰＵ３１ａによって処理され、必要に応じてＨＤＤ３１ｃや通信Ｉ／Ｆ部３１ｄ、媒体Ｉ／Ｆ部３１ｅに転送される。ＨＤＤ３１ｃは、各種プログラム（後述する制御プログラムなど）や各種データ（各展示ブース２０のＩＤ情報と企業名とを対応付けたテーブルや、展示会場における各展示ブース２０の位置が規定されたレイアウト情報など）を格納し、ＣＰＵ３１ａにより必要に応じて読み出され、メモリ３１ｂ上で実行処理される。通信Ｉ／Ｆ部３１ｄは、サーバ４０と極超短波やマイクロ波を使った無線通信を行う。媒体Ｉ／Ｆ部３１ｅは、メモリーカードやＵＳＢ（Universal Serial Bus）メモリなどの可搬型記憶媒体と接続し、データの送受信を行う。
【００３０】
上記制御部３１で動作する制御プログラムは、撮像部３４で撮像した動画データの各画像を処理して各展示ブース２０の可視光通信光源２１の位置を特定し、可視光通信光源２１の点滅パターンから各展示ブース２０のＩＤ情報を取得し、各展示ブース２０の可視光通信光源位置とＩＤ情報とレイアウト情報とに基づいて撮像した展示ブース２０に対する自装置の相対位置を特定し、自装置とその近傍の展示ブース２０と当該展示ブース２０のＩＤ情報と必要に応じて撮像方向とが表示される展示ブース案内画面を表示部３２に表示させる展示ブース案内部、自装置近傍の展示ブース２０の一覧画面を表示部３２に表示させ、その中から選択された展示ブース２０のＩＤ情報をサーバ４０に送信し、サーバ４０からそのＩＤ情報に対応する電子パンフレットを取得して表示部３２に表示させ、保存が指示された場合に当該電子パンフレットを可搬型記憶媒体に保存する電子パンフレット取得部として機能する。
【００３１】
表示部３２は、液晶表示装置（ＬＣＤ：Liquid Crystal Display）や有機ＥＬ（electroluminescence）表示装置等からなり、後述する展示ブース案内画面や展示ブース選択画面、電子パンフレット表示画面、保存選択画面などを表示する。
【００３２】
操作部３３は、表示部３２上に表示された情報を操作したり、情報を入力したりする部分であり、ポインティングデバイス、キーボード、トラックボール、トラックパッド、タブレット、及びスタイラスペンなどで構成される。
【００３３】
撮像部３４は、動画を撮像可能なデジタルカメラであり、情報表示装置３０に固定若しくは可動可能に取り付けられている。
【００３４】
［サーバ］
サーバ４０は、任意の場所（展示会場の内部でも外部でもよい。）に配置され、各展示ブース２０の電子パンフレットをＩＤ情報に対応付けて記憶する。そして、情報表示装置３０からＩＤ情報を受信すると、ＩＤ情報に対応する電子パンフレットを特定し、当該電子パンフレットをＩＤ情報の送信元の情報表示装置３０に送信する。
【００３５】
なお、図１及び図２は、本実施例の展示会見学支援システム１０の一例であり、その構成や制御は適宜変更可能である。例えば、図１では、サーバ４０に電子パンフレットを記憶する構成としたが、各情報表示装置３０に全ての展示ブース２０の電子パンフレットを記憶しておき、選択した展示ブース２０のＩＤ情報に対応する電子パンフレットを読み出して表示するようにしてもよい。また、各展示ブース２０に記憶手段を設けて当該展示ブース２０の電子パンフレットを記憶しておき、その展示ブース２０のＩＤ情報を送信した情報表示装置３０に対して電子パンフレットを送信するようにしてもよい。これらの場合には、サーバ４０を省略し、展示会見学支援システム１０を展示ブース２０と情報表示装置３０とで構成することができる。
【００３６】
次に、図１の構成の展示会見学支援システム１０を用いて、展示ブース２０と情報表示装置３０の位置関係を特定する方法について説明する。
【００３７】
図３は、展示会場の一部を上方から見た平面図であり、ここではＡ１１〜Ａ１３、Ｂ１１〜Ｂ１３、Ｃ１１〜Ｃ１３の９個の展示ブース２０が配列されている。そして、見学者はＢ１２、Ｂ１３、Ｃ１２、Ｃ１３の展示ブース２０に囲まれた領域に立ち止まっており、情報表示装置３０の撮像部３４は、図の上方を撮像しているとする。
【００３８】
図４は、この状態で情報表示装置３０の撮像部３４が撮像した動画の一画像の例であり、Ａ１２、Ａ１３、Ｂ１２、Ｂ１３の各ブース２０が映し出される。なお、展示会場は他の見学者もいることから、図４のように他の見学者によって展示ブース２０の可視光通信光源２１（ここではＢ１３の展示ブース２０の可視光通信光源２１）が遮られて映らない場合もある。
【００３９】
図５（ａ）は、このようにして撮像した動画の各フレームの画像（可視光通信光源２１が点灯している３つの時刻の静止画像）を抜き出したものであり、図の右側から左側に向かって他の見学者が移動している。
【００４０】
また、図５（ｂ）は、図５（ａ）の画像に対して、所定の画像処理により撮像位置のずれを補正した画像（例えば、展示ブース２０の輪郭等を抽出し、その輪郭を基準にして画像を上下左右に移動させた画像）であり、全ての画像において展示ブース２０が同じ位置に配置される。
【００４１】
また、図５（ｃ）は、図５（ｂ）の画像に対して、所定の画像処理（例えば、所定の輝度以上の点以外を消去する処理）を行った画像であり、各展示ブース２０の可視光通信光源２１のみが表示される。
【００４２】
また、図５（ｄ）は、図５（ｃ）の可視光通信光源２１の内、他の見学者に遮られるなどによって一定期間表示されなかった点（ここでは、ブースＢ１３の可視光通信光源２１）を除いた画像であり、この可視光通信光源２１の連続画像からＩＤ情報を読み取ることになる。
【００４３】
このＩＤ情報の読み取りに関して説明する。ある可視光通信光源２１に着目すると、その可視光通信光源２１からは、図６（ａ）に示すように、信号特定情報（可視光通信であることを示す情報：例えば、一定の間隔の点灯／消灯の繰り返しパターン）と展示ブース２０のＩＤ情報（例えば、信号特定情報とは異なる間隔の点灯／消灯のパターン）とが繰り返し送信されている。
【００４４】
情報表示装置３０の撮像部３４では、可視光通信光源２１の点灯／消灯のパターンを撮像することになるが、図５のＡ１２、Ａ１３、Ｂ１２の展示ブース２０のように、他の見学者に遮られない可視光通信光源２１を撮像した連続画像には、図６（ｂ）に示すように、可視光通信光源２１の点灯／消灯に対応した明／暗が記録される。従って、点灯／消灯パターンをＮ回連続して受信し、この点灯／消灯パターンが一致した場合は、点灯／消灯パターンからＩＤ情報を取得することができる。
【００４５】
一方、図５のＢ１３の展示ブース２０のように、他の見学者に遮られた可視光通信光源２１を撮像した連続画像には、図６（ｃ）に示すように、一定時間、暗の状態が記録される。従って、一定時間、暗の状態が続く場合は異常と判断し、この展示ブース２０をＩＤ情報の読み取り対象から外すか、若しくは、暗の状態が解消した後の連続画像からＩＤ情報を取得する。
【００４６】
上記信号特定情報とＩＤ情報の構成は特に限定されないが、点灯を”１”、消灯を”０”とした場合、例えば、図７に示すように、信号特定情報を”１”、”０”を所定回数（例えば１２８回）繰り返した情報とし、ＩＤ情報を”１１”と”００”の組み合わせにより表現した情報とすることができ、信号特定情報とＩＤ情報とで点灯／消灯の時間間隔を変えることにより、信号特定情報とＩＤ情報とを容易に区別することができる。
【００４７】
なお、複数の展示ブース２０の可視光通信光源２１からの信号は同期させてもよい（すなわち、同じタイミングでＩＤ情報を送信してもよい）し、非同期としてもよい。また、図６及び図７では、可視光通信光源２１から信号特定情報とＩＤ情報を交互に送出する構成としたが、信号特定情報を省略して、ＩＤ情報のみを連続して送出してもよいし、ＩＤ情報を送出する前に一定時間、可視光通信光源２１を点灯若しくは消灯させてもよい。また、信号特定情報とＩＤ情報における点灯／消灯の時間間隔は特に限定されないが、動画の各フレームの画像に点灯／消灯パターンが記録できるように、動画のフレームレートを考慮して設定することが好ましい。
【００４８】
次に、上記手法で展示ブース２０の可視光通信光源２１の位置及びＩＤ情報を特定した後、展示ブース２０に対する見学者（情報表示装置３０）の相対位置を特定する方法について説明する。
【００４９】
図８に示すように、ある撮影点（Ｏ点）で撮像した画像に３つの可視光通信光源（Ｐ１〜Ｐ３）が記録されている場合、同一平面上（床からの高さが同じ位置）に並んだ３点が形成する三角形は一意に決定されることから、幾何学的手法により、Ｐ１〜Ｐ３に対する撮影点（Ｏ点）の相対位置を特定することができる。
【００５０】
具体的には、各展示ブース２０の可視光通信光源２１の位置（実空間の座標）が予め分かっており、レイアウト情報として記憶されている場合、３つ以上の可視光通信光源の実空間の座標と撮像画像上の座標とを比較することによって、縮尺、水平面内での回転角及び水平面に対する仰角を特定することができるため、可視光通信光源２１に対する撮影点（Ｏ点）の相対位置を特定することができる。
【００５１】
なお、可視光通信光源２１が同一水平面上にない場合も、各可視光通信光源２１の高さが予め分かっていれば、上下方向のずれを補正することで、同様に撮影点（Ｏ点）の相対位置を特定することは可能である。また、本実施例では、各可視光通信光源がマトリクス状に配置されている場合を示しているが、ランダムに配置されている場合であっても、同様に撮影点（Ｏ点）の相対位置を特定することは可能である。
【００５２】
次に、展示会見学支援システム１０全体の動作について、図９のフローチャート及び図１０乃至図１３の画面例を参照して説明する。
【００５３】
まず、見学者は情報表示装置３０を操作して撮像部３４を動作させ、複数の展示ブース２０を一定時間、動画で撮像する（Ｓ１０１）。
【００５４】
次に、制御部３１（制御プログラム）は、撮像部３４から動画データを取得し、動画データの各フレームの画像の位置ずれを補正した後、有効な可視光通信光源２１を特定し、その可視光通信光源２１の連続画像からＩＤ情報を取得する（Ｓ１０２）。
【００５５】
次に、制御部３１（制御プログラム）は、展示ブース２０と情報表示装置３０の位置関係を特定できるか（すなわち、複数の展示ブース２０の可視光通信光源２１からＩＤ情報を受信できたかどうか）を判断し（Ｓ１０３）、位置関係を特定できない場合は、ステップＳ１０１に戻って見学者は再度、動画の撮像を行う。
【００５６】
一方、位置関係を特定できる場合は、制御部３１（制御プログラム）は、上記手法を用いて撮像した展示ブース２０に対する情報表示装置３０の相対位置を特定し、情報表示装置３０の位置が分かる画面を作成して表示部３２に表示させる（Ｓ１０４）。この画面（展示ブース案内画面５０）は、例えば、図１０のように構成され、見学者（すなわち、情報表示装置３０）とその周囲の展示ブース２０とが表示され、各展示ブース２０には、ＩＤ情報で特定されるブース番号が表示される。また、必要に応じて、撮像部３４で撮像した方向が表示される。このような展示ブース案内画面５０を表示することにより、見学者は自身が展示会場のどの位置にいるのかを容易に把握することができ、所望の展示ブース２０に簡単に移動することが可能となる。
【００５７】
次に、制御部３１（制御プログラム）は、展示ブース２０と情報表示装置３０の位置関係に基づいて見学者の周囲の展示ブース２０を特定し、その展示ブース２０のブース番号をその展示ブース２０に出展している企業名などに対応付けて一覧表示する画面を作成して表示部３２に表示させる（Ｓ１０５）。この画面（展示ブース選択画面５１）は、例えば、図１１のように構成され、見学者の周囲の展示ブース２０（ここでは、Ｂ１２、Ｂ１３及びＣ１２の展示ブース２０）が選択可能に表示され、見学者は、操作部３３を操作して、電子パンフレットを入手したい展示ブース２０（ここでは、Ｂ１２の展示ブース２０）を選択する。
【００５８】
なお、ここでは展示ブース選択画面５１で展示ブース２０を選択させたが、展示ブース案内画面５０で所望の展示ブース２０を指示することによって、展示ブース２０を選択させる構成としてもよい。また、展示ブース選択画面５１における展示ブース２０の表示順は特に限定されないが、例えば、電子パンフレットを入手していない展示ブース２０の優先順位を高くして表示（上位に表示）したり、見学者（情報表示装置３０）からの距離が近い展示ブース２０の優先順位を高くして表示（上位に表示）したり、画面左右方向で、中央に近い展示ブース２０の優先順位を高くして表示（上位に表示）することもでき、このような制御を行うことにより、見学者の利便性を高めることができる。
【００５９】
次に、制御部３１（制御プログラム）は、展示ブース選択画面５１で選択された展示ブース２０のＩＤ情報をサーバ４０に送信して、電子パンフレットの送信を依頼する（Ｓ１０６）。一方、サーバ４０は、情報表示装置３０からＩＤ情報を受信したら、そのＩＤ情報に対応する電子パンフレットを特定し、ＩＤ情報の送信元の情報表示装置３０に送信する。
【００６０】
次に、制御部３１（制御プログラム）は、サーバ４０からＩＤ情報に対応する電子パンフレットを受信し、表示部３２に表示させる（Ｓ１０７）。この画面（電子パンフレット表示画面５２）は、例えば、図１２のように構成され、選択した展示ブース２０が配布するパンフレットや説明資料が表示され、見学者は、紙媒体としての資料を入手しなくても必要な情報を入手することができる。
【００６１】
次に、見学者が所定の操作を行うと、制御部３１（制御プログラム）は、例えば、図１３のような保存選択画面５３を表示部３２に表示させ、電子パンフレットを保存するか否かを見学者に選択させる（Ｓ１０８）。見学者が保存を選択した場合は、表示した電子パンフレットを可搬型記憶媒体に保存し（Ｓ１０９）、見学者が保存を選択しなかった場合は、表示した電子パンフレットを破棄する（Ｓ１１０）。
【００６２】
その後、見学者は、見学を終了するかを判断し（Ｓ１１１）、他の展示ブース２０の電子パンフレットを入手する場合は、Ｓ１０１に戻って同様の処理を繰り返す。
【００６３】
このように、展示会場に配置される各々の展示ブース２０に、自身のブース番号を示すＩＤ情報を点滅パターンとして可視光通信により送信する可視光通信光源２１を設け、見学者が持ち歩く情報表示装置３０で複数の展示ブース２０を動画で撮像し、動画の各画像を処理して可視光通信光源２１の位置を特定し、可視光通信光源２１の点滅パターンから展示ブース２０のＩＤ情報を取得し、可視光通信光源２１の位置とＩＤ情報とレイアウト情報とに基づいて撮像した展示ブースに対する情報表示装置の相対位置を特定して展示ブース案内画面５０を表示することにより、所望の展示ブースがどこにあるかを容易に把握することができる。
【００６４】
また、情報表示装置３０は、情報表示装置近傍の展示ブース２０を一覧表示する展示ブース選択画面５１を表示し、その中から選択された展示ブース２０に対応するＩＤ情報に基づいて、その展示ブース２０の電子パンフレットを取得して表示することにより、展示ブース２０が近接して配置されている場合であっても、意図しない展示ブース２０の電子パンフレットを取得することなく、所望の展示ブース２０の電子パンフレットを確実に取得することができる。
【００６５】
なお、上記各実施例では、展示会場で電子パンフレットを配信するシステムを例にして説明したが、本発明は上記実施例に限定されるものではなく、就職説明会など、場所に応じた電子データを提供する任意のシステムに対して同様に適用することができる。
【産業上の利用可能性】
【００６６】
本発明は、場所に応じた電子データを提供するシステム、特に、展示ブースに応じた電子パンフレットを見学者に配信するシステム及び電子パンフレットを表示する装置に利用可能である。
【符号の説明】
【００６７】
１０  展示会見学支援システム
２０  ブース
２１  可視光通信光源
３０  情報表示装置
３１  制御部
３１ａ  ＣＰＵ
３１ｂ  メモリ
３１ｃ  ＨＤＤ
３１ｄ  通信Ｉ／Ｆ部
３２  表示部
３３  操作部
３４  撮像部
４０  サーバ
５０  展示ブース案内画面
５１  展示ブース選択画面
５２  電子パンフレット表示画面
５３  保存選択画面
【図１】
2011154581.tif 000003
【図２】
2011154581.tif 000004
【図３】
2011154581.tif 000005
【図４】
2011154581.tif 000006
【図５】
2011154581.tif 000007
【図６】
2011154581.tif 000008
【図７】
2011154581.tif 000009
【図８】
2011154581.tif 000010
【図９】
2011154581.tif 000011
【図１０】
2011154581.tif 000012
【図１１】
2011154581.tif 000013
【図１２】
2011154581.tif 000014
【図１３】
2011154581.tif 000015